(57)【要約】      （修正有）【課題】クラブヘッド全体の重量を変更させ、飛び距離を向上させる、クラブヘッドを提供する。【解決手段】クラブヘッド１０は、バックフェース１１とフェース１２とを備える。バックフェース１１は、前表面１１Ａと後表面１１Ｂとを備え、バックフェース１１は、収納空間１１１と、階段状凸縁１１２とノッチ部１１３とを備える。収納空間１１１がバックフェース１１内に形成される。階段状凸縁１１２が収納空間１１１内に形成され、且つ収納空間１１１の内周壁を囲む。ノッチ部１１３がバックフェース１１１の下表面に設けられる。フェース１２は、収納空間１１１内に位置され且つ階段状凸縁１１２に当接する。フェース１２の打撃プレート１２１とバックフェース１１の前表面１１Ａとが等高であり、フェース１２の下側壁は、後突する延伸部１２２を有し、延伸部１２２の形状とノッチ部１１３の形状とは相補的である。【選択図】図１
0003216316.tif 000002
【実用新案登録請求の範囲】
【請求項１】
バックフェースと、フェースとを備えるクラブヘッドであって、
前記バックフェースは、前表面と後表面とを備え、
前記バックフェースは、収納空間と、階段状凸縁と、ノッチ部と、フェースと、打撃プレートとを備え、
前記収納空間が、前記バックフェース内に形成され、
前記階段状凸縁が、前記収納空間内に形成され、且つ前記収納空間の内周壁を囲み、
前記ノッチ部が、前記バックフェースの下表面に設けられ、
前記フェースは、前記収納空間内に収納され、且つ前記階段状凸縁に当接し、
前記フェースの打撃プレートと前記バックフェースの前表面とが等高であり、前記フェースの下側壁は、後突して延伸部を設け、前記延伸部の形状と前記ノッチ部の形状とがと相補的である、ことを特徴とするクラブヘッド。
【請求項２】
前記バックフェースと前記フェースとが緊密に嵌合されている、ことを特徴とする請求項１に記載のクラブヘッド。
【請求項３】
前記フェースが前記収納空間内に嵌合されている、ことを特徴とする請求項１に記載のクラブヘッド。
【請求項４】
粘着層をさらに備え、前記粘着層が前記バックフェースと前記フェースとの間に粘着されている、ことを特徴とする請求項１に記載のクラブヘッド。
【請求項５】
前記延伸部は、前記フェースの打撃プレートとともにL字形を形成する、ことを特徴とする請求項１に記載のクラブヘッド。
【請求項６】
前記バックフェースの素材は、鉄、チタン又はそれらの合金からなる群より選択されるいずれかの一つである、ことを特徴とする請求項１に記載のクラブヘッド。
【請求項７】
前記フェースの素材は、鉄、チタン又はそれらの合金からなる群より選択されるいずれかの一つである、ことを特徴とする請求項１に記載のクラブヘッド。
【請求項８】
前記収納空間の孔径は、前記前表面から前記階段状凸縁に向かって徐々に広がる、ことを特徴とする請求項１に記載のクラブヘッド。
【請求項９】
前記バックフェースの前表面は、前突して環状壁を設け、前記環状壁が延伸して前記収納空間の周囲を囲むように設けられ、且つ前記環状壁は前記ノッチ部の両端に下向きに曲がって延伸する、ことを特徴とする請求項１に記載のクラブヘッド。
【請求項１０】
前記クラブヘッドは、鉄棒型のクラブヘッドである、ことを特徴とする請求項１に記載のクラブヘッド。
【考案の詳細な説明】
【技術分野】
【０００１】
本考案は、クラブヘッドに関し、特にゴルフ用のクラブヘッドに関する。
【背景技術】
【０００２】
クラブヘッドは、通常、異なる地形又は異なる飛距離に応じて様々な性能を有するように設計されている。しかしながら、一般的なクラブヘッドは、単一の材料で一体化成形で製造されているため、製造過程においては、顧客の需要に応じて変更することは容易でない。
したがって、前述した従来技術の問題点を解決できるクラブヘッドを提供する必要がある。
【考案の概要】
【０００３】
本考案の目的は、クラブヘッドを提供することであり、バックフェースの階段状凸縁とノッチ部とを利用して、フェースの延伸部構造と組付けることによって、バックフェースとフェースとの材質の特性に応じてクラブヘッドの全体の重量を調整し、クラブヘッドの性能を発揮させることができる。
【０００４】
本考案のもう一つの目的は、クラブヘッドのバックフェースとフェースとが同じ或いは異なる材料からなることで、前記クラブヘッドの全体の重量を変更させ、飛び距離を向上させる、クラブヘッドを提供することである。
【０００５】
上述した目的を達成するために、本考案の一つの実施例は、クラブヘッドを提供する。前記クラブヘッドは、バックフェースとフェースとを備える。前記バックフェースは、前表面と後表面とを有し、前記バックフェースは、収納空間と、階段状凸縁と、ノッチ部とを備える。前記収納空間は、前記バックフェース内に形成される。前記階段状凸縁は、前記収納空間内に形成され、且つ前記収納空間の内周壁を囲むように設けられる。前記ノッチ部は、前記バックフェースの下表面に設けられる。前記フェースは、前記収納空間内に位置され、且つ前記階段状凸縁に当接し、前記フェースの打撃プレートと前記バックフェースの前表面とが等高であり、前記フェースの下側壁は、後突して延伸部を設け、前記延伸部の形状は前記ノッチ部の形状とは相補的である。
【０００６】
本考案の一つの実施例において、前記バックフェースと前記フェースとが互いに緊密に嵌合されている。
本考案の一つの実施例において、前記フェースが前記収納空間内に嵌合される。
本考案の一つの実施例において、前記クラブヘッドは粘着層を更に備え、前記粘着層が、前記バックフェースと前記フェースとの間に粘着される。
【０００７】
本考案の一つの実施例において、前記延伸部は、前記フェースの打撃プレートとともに、L字形状を形成する。
本考案の一つの実施例において、前記バックフェースの素材は、鉄、チタン又はそれらの合金からなる群より選択されるいずれかの一つである。
【０００８】
本考案の一つの実施例において、前記フェースの素材は、鉄、チタン又はそれらの合金からなる群より選択されるいずれかの一つである。
本考案の一つの実施例において、前記収納空間の孔径は、前記前表面から前記階段状凸縁に向いて徐々に広がる。
本考案の一つの実施例において、前記バックフェースの前表面には、前突して環状壁が設けられ、前記環状壁が延伸して前記収納空間を囲むように設けられ、且つ前記環状壁は、前記ノッチ部の両端において下向きに曲がって延伸する。
本考案の一つの実施例において、前記クラブヘッドは、鉄棒型のクラブヘッドである。
【図面の簡単な説明】
【０００９】
【図１】図１は本考案に係る実施例のクラブヘッドの分解図である。
【図２】図２は本考案に係る実施例のクラブヘッドの立体図である。
【図３】図３は本考案に係る実施例のクラブヘッドのフェースの背面図である。
【考案を実施するための形態】
【００１０】
本考案の目的、特徴及び優れる点をより明確に理解するために、以下、本考案の好ましい実施例について、図面を参照しながら詳細に説明する。なお、本考案に使用する用語、例えば上、下、頂部、底部、前部、後部、左、右、内、外、側面、周囲、中央、水平、横方向、垂直、縦方向、軸方向、径方向、最上層又は最下層等は、図面での位置を意味している。したがって、使用されている方向用語は、本考案を説明又は理解するためのであり、本考案はこれに限定されない。
【００１１】
図１〜３を参照されたい。図１は本考案に係る実施例のクラブヘッド10の分解図である。図２は本考案に係る実施例のクラブヘッド10の立体図である。図３は本考案に係る実施例のクラブヘッド10のフェース12の背面図である。本考案に係る実施例のクラブヘッド10は、例として鉄素材のクラブヘッドが挙げられる。前記クラブヘッド10は、バックフェース11とフェース12とを備える。前記バックフェース11は、収納空間111と、階段状凸縁112と、ノッチ部113とを備える。前記バックフェース11は、前表面11Aと後表面11Bとを有し、且つ前記収納空間111が前記バックフェース11内に形成される。前記階段状凸縁112が、前記収納空間111内に形成され、且つ前記収納空間111の内周壁を囲むように設けられ(図示せず)、前記階段状凸縁112は、主に前記フェース12の位置を支持又は位置付けることに用いられている。前記ノッチ部113が、前記バックフェース11の下表面11Cに設けられている。
【００１２】
本考案におけるクラブヘッド10のフェース12は、前記収納空間111内に収容され、且つ前記階段状凸縁112に当接する。前記フェース12の打撃プレート121と前記バックフェース11の前表面11Aとが等高である。より詳しくは、使用者に、前記打撃プレート121と前記バックフェース11の前表面11Aとが同一平面(あるいは同一表面)に見える視覚的感覚が与えられる。また、前記フェース12の下側壁12Aには、後突して延伸部122が設けられ、前記延伸部122の形状と前記ノッチ部113の形状とが相補的である。換言すれば、前記延伸部122と前記ノッチ部113との形状が相補的であるため、使用者が前記フェース12と前記バックフェース11とからなる前記クラブヘッド10を触る時に、前記クラブヘッドは一体化成形されたと思われ(即ち、前記クラブヘッドは一体化形成するような製造方法で製造された)、クラブヘッド10は美しく見える。なお、本考案におけるクラブヘッドでは、前記フェース12の片側にのみ、前記延伸部112を有し、前記フェース12の両側に有することはない。
【００１３】
前述した内容により、前記フェース12と前記バックフェース11とは、別々に作製されることができ、且つ使用者の需要に応じて組み合わせられる。例えば、前記フェース12と前記バックフェース11とは、同じ素材で作製されてもよく、異なる素材で作製されてもよい。本実施例において、前記バックフェース11の素材は、鉄、チタン又はそれらの合金からなる群より選択されるいずれかの一つであり、具体的な実施例において、前記バックフェース11の素材は、スチールまたはステンレス鋼であっても良い。もう一つの実施例において、前記フェース12の素材は、鉄、チタン又はそれらの合金からなる群より選択されるいずれかの一つであり、具体的な実施例においては、前記フェース12の素材は、スチールまたはステンレス鋼であっても良い。なお、前記フェース12と前記バックフェース11とは、色の異なる素材を使用する場合、使用者が異なる色により前記フェース12の打撃プレート121と前記バックフェース11の前表面11Aとの境界線を識別できるが、前記クラブヘッド10を触る時、前記フェース12の打撃プレート121と前記バックフェース11の前表面11Aとが等高であるため、使用者は、前記クラブヘッドが一体化形成されるような作製方法で作製されたと思われる。これによって、クラブヘッドの製品は見栄えを有するとともに、使用者に前記クラブヘッド10の購入意識を高める。
【００１４】
本実施例において、前記収納空間111は、前記前表面11Aに開口を形成し、前記フェース12が前記前表面11Aの開口により前記バックフェース11内に装着できる。もう一つの実施例において、前記収納空間111は、前記前表面11Aと前記後表面11Bのそれぞれに開口を形成してもよく、前記前表面11Aの開口は、前記フェース12が前記前表面11Aの開口より前記バックフェース11内に装着されるように用いられ、前記後表面11Bに開口は、商品のラベル又はモデル銘板(図示せず)の貼付けなどに用いられ、全体的な設計の変動性を高めることができる。
【００１５】
本実施例において、嵌合方式で前記バックフェース11と前記フェース12とが緊密に嵌合されても良い。一つの例においては、例えば、前記フェース12に外力を加えることによって、前記フェース12を前記バックフェース11の収納空間111内に嵌合させ、緊密な嵌合効果を達成することができる。もう一つの実施例においては、前記収納空間111の孔径は、前記前表面11Aから前記階段状凸縁112に向かって徐々に広がり、且つ前記フェース12の形状は前記収納空間111の形状と相補的であり、前記フェース12が前記収納空間111内にしっかり固定されることができる。
【００１６】
もう一つの実施例において、前記バックフェース11と前記フェース12とが、様々な接合方法によって接合されても良い。例えば、前記クラブヘッド10は、粘着層(図示せず)を有し、且つ前記粘着層が前記バックフェース11と前記フェース12との間に粘着される。前記粘着層の粘着方法は、前記バックフェースと前記フェースとの素材に応じて選択することができる。例えば、前記バックフェースの素材は鉄であり、前記フェースの素材はチタンである場合、溶接材料を使用せずに、粘着剤を使用して接合することができる。
【００１７】
本実施例において、前記延伸部122は、前記フェース12の打撃プレート121とともに、L字形に形成する。具体的に、L字形の構造は、前記フェース12と前記バックフェース11との位置決めを容易に行うことができ、前記フェース12と前記バックフェース11との組付けが容易になる。また、前記延伸部122と前記バックフェース11の下表面113とが等高であるため、使用者に、前記クラブヘッドが一体化成型されるような触感が付与される。
【００１８】
本実施例において、前記バックフェース11の前表面11Aには、前突して環状壁114が設けられ、前記環状壁114が延伸して前記収納空間111の周囲を囲むように設けられ、且つ前記環状壁111は、前記ノッチ部113の両端部において下向きに曲がって延伸する。一つの例においては、前記フェース12と前記バックフェース11とが組み付けられた後、外力を加えることによって、前記環状壁114を前記フェース12の方向に向いて折り曲げ、前記フェース12を挟んで固定させる効果を達成できる。折り曲げられた環状壁114は、前記バックフェース11の前表面11Aより僅かに高いため、前記環状壁114は、後処理により前記前表面11Aの部分を除去することができ(例えば、切断または研磨などの方式)、前記フェース12の打撃プレート121と前記バックフェース11の前表面11Aとを等高させることができる(図２に示すように、前記環状壁と前記前表面11Aとが等高であるため、外観上では前記環状壁が見えない)。
【００１９】
前述したとおり、本考案におけるクラブヘッドは、バックフェースとフェースとの組付けを利用することによって、使用者の需要に応じてクラブヘッドの打撃効果を調整でき、クラブヘッドの作製時間を短縮することができる。一方、フェースとバックフェースとの素材が異なるため、素材の選択により、前記クラブヘッドの全体の重さ配分を調整することができ、前記クラブヘッドの打撃性能を向上させ、クラブヘッドの飛び距離を増大させることができる。また、もう一つの実施形態において、前記フェース12と前記バックフェース11とが同じ素材で構成されている場合においても、各素材の組成の構成比を調整することによって、この実施形態によれば、上述の全体の重量及び打撃性能を調整することができ、打撃性能を向上させることができる。
【００２０】
以上、本考案の好ましい実施形態について説明したが、本考案は上記実施形態に限定されるものではなく、本発明の趣旨を逸脱しない範囲で種々の変更が可能であり、 保護の範囲は、添付の特許出願の範囲内で定義されているものとみなす。
【符号の説明】
【００２１】
10   クラブヘッド
11   バックフェース
11A  前表面
11B  後表面
11C  下表面
12   フェース
12A  下側壁
111  収納空間
112  階段状凸縁
113  ノッチ部
114  環状壁
121  打撃プレート
122  延伸部
【図１】
0003216316.tif 000003
【図２】
0003216316.tif 000004
【図３】
0003216316.tif 000005